(57)【要約】【課題】片面又は両面を電気的に絶縁でき、伸縮性が求められる通電用途に使用でき、伸縮による電気抵抗値の変化を抑えられる伸縮性平型通電体を提供する。【解決手段】伸縮性平型通電体１は、金属メッキがされたウーリー加工糸をポリウレタン弾性糸にカバーリング撚糸加工してなる導電糸５を使用して織られた伸縮性の導電性布３と、非導電性のＦＴＹ８（ＣＳＹ又はＰＬＹでもよい）を使用して織られた伸縮性の非導電性布２，４とを、それぞれ層として含む複数層構造をなし、複数層がＦＴＹ８により接結している。【選択図】図１
0003195050.tif 000002
【実用新案登録請求の範囲】
【請求項１】
金属メッキがされたウーリー加工糸をポリウレタン弾性糸にカバーリング撚糸加工してなる導電糸を使用して織られた伸縮性の導電性布と、非導電性のＦＴＹ、ＣＳＹ又はＰＬＹからなる伸縮糸を使用して織られた伸縮性の非導電性布とを、それぞれ層として含む複数層構造をなし、複数層が糸により接結していることを特徴とする伸縮性平型通電体。
【請求項２】
第１の非導電性布と導電性布と第２の非導電性布とがこの順に重なった３層構造をなし、第１の非導電性布の一部の経糸又は緯糸が第２の非導電性布の一部の経糸又は緯糸に引っ掛かることにより３層が接結している請求項１記載の伸縮性平型通電体。
【請求項３】
非導電性布と導電性布とが重なった２層構造をなし、導電性布は導電糸と非導電糸とを使用して織られたものであり、導電性布の非導電糸が非導電性布の一部の経糸又は緯糸に引っ掛かることにより２層が接結している請求項１記載の伸縮性平型通電体。
【請求項４】
複数層が各層を構成する糸以外の接結専用の糸により引っ掛けられて接結している請求項１記載の伸縮性平型通電体。
【考案の詳細な説明】
【技術分野】
【０００１】
本考案は、電気・電子機器に電流を供給する等の目的で、電流を通すための通電体に関するものである。
【背景技術】
【０００２】
この種の通電体としては、単線又は複数素線の撚線を導体とし、樹脂を被覆材とするリード線が広く用いられている。その導体の断面形状は略円形であり、表面積が小さいため、通電時に発生する抵抗熱の放熱性が低い。また、大電流を流すために導体の直径を大きくすると、嵩高になるとともに、しなやかさが減少する。また、人は、リード線を見れば直ちに電流を通すリード線と認識してしまい、リード線に接触すると違和感を覚える。
【０００３】
また、近年、導電糸を使用した編物が検討されている。例えば特許文献１には、繊維素材の芯のまわりに複数の導電性繊維素材（金属繊維）を所定の巻き数で螺旋状に巻き付けた導電糸をたて糸の一部もしくはよこ糸に使用して構成された織物が記載されている。しかし、この織物は非導電物で覆われたものではなかった。
【０００４】
そこで、本出願人は先に特許文献２で、導電糸を織成してなる導電性基材と、熱可塑性樹脂繊維よりなる非導電糸を織成してなる非導電性基材とを備えた平型絶縁被覆通電体を提案した。
【０００５】
上記のリード線、特許文献１の織物、特許文献２の平型絶縁被覆通電体は、いずれも伸縮性が無いか又は乏しかったため、伸縮性が求められる通電用途には使用することができなかった。また、特許文献１の織物や、特許文献２の平型絶縁被覆通電体を、内側と外側の２枚を重ねた状態でロールに巻いていくと、内外の周長の差ができて、内側がだぶついてしまう。
【先行技術文献】
【特許文献】
【０００６】
【特許文献１】特開２０１１−７４５１２号公報
【特許文献２】特開２０１４−１１４５２５号公報
【考案の概要】
【考案が解決しようとする課題】
【０００７】
本考案の目的は、これらの問題を解決し、片面又は両面を電気的に絶縁することができ、伸縮性が求められる通電用途に使用することができ、２枚を重ねた状態でロールに巻いても内側の通電体がだぶつくことがなく、伸縮による電気抵抗値の変化を抑えることもできる伸縮性平型通電体を提供することにある。
【課題を解決するための手段】
【０００８】
本考案の伸縮性平型通電体は、金属メッキがされたウーリー加工糸をポリウレタン弾性糸にカバーリング撚糸加工してなる導電糸を使用して織られた伸縮性の導電性布と、非導電性のＦＴＹ、ＣＳＹ又はＰＬＹからなる伸縮糸を使用して織られた伸縮性の非導電性布とを、それぞれ層として含む複数層構造をなし、複数層が糸により接結していることを特徴とする。
【０００９】
導電性布の片面又は両面が非導電性布により絶縁されるので、用途が広がる。導電性布も非導電性布も伸縮性なので、平型通電体は全体として伸縮性がある。導電性布のポリウレタン弾性糸が伸縮するとき、その伸縮にウーリー加工糸は追従するため、ウーリー加工糸の金属メッキは損傷しない。複数層は糸により接結しているので、伸縮時に剥がれない。
【００１０】
複数層の接結構造として、次の態様を例示することができる。
（１）第１の非導電性布と導電性布と第２の非導電性布とがこの順に重なった３層構造をなし、第１の非導電性布の一部の経糸又は緯糸が第２の非導電性布の一部の経糸又は緯糸に引っ掛かることにより３層が接結している態様。
【００１１】
（２）非導電性布と導電性布とが重なった２層構造をなし、導電性布は導電糸と非導電糸とを使用して織られたものであり、導電性布の非導電糸が非導電性布の一部の経糸又は緯糸に引っ掛かることにより２層が接結している態様。
【００１２】
（３）複数層が各層を構成する糸以外の接結専用の糸により引っ掛けられて接結している態様。
【００１３】
さらに、本考案の各要素の態様を例示する。
１．導電布
ウーリー加工糸は、長繊維を加撚し熱固定してから解撚することにより嵩高性をもたせたものであり、バネのような伸縮性を有する。長繊維としては、特に限定されないが、ポリエステル、ナイロン、アクリル等を例示することができる。
金属メッキの金属としては、特に限定されないが、銅、銀、金、ニッケル、コバルト、鉄、スズ、アルミニウム又はそれぞれの合金等を例示することができる。
金属メッキの方法としては、特に限定されないが、無電解メッキ、化成処理、真空蒸着等を例示することができる。
導電布は、導電糸のみを使用して織ったものでも、導電糸と非導電糸とを使用して織ったものでもよい。その非導電糸は伸縮性のもの（ＦＴＹ、ＣＳＹ、ＰＬＹ等）が好ましい。
導電性布の織り方としては、特に限定されないが、平織り、綾織り、斜子織り、レップ織り、畝織り、絡み織り、模紗織り、朱子織り、二重織り等を例示することができる。
【００１４】
２．非導電性布
伸縮糸は、ＦＴＹ、ＣＳＹ又はＰＬＹのいずか１種でもよいし２種以上の組み合わせでもよい。
ＦＴＹ（Filament Twisted Yarn：フィラメント・ツイステッド・ヤーン）は、ポリウレタン弾性糸に長繊維をカバーリングした加工糸であり、ＳＣＹ（Single Covered Yarn：シングル・カバード・ヤーン）、ＤＣＹ（Double Covered Yarn：ダブル・カバード・ヤーン）を含む。カバーリングする長繊維としては、特に限定されないが、ポリエステル、ナイロン、アクリル等を例示することができる。
ＣＳＹ（Core Spun Yarn：コア・スパン・ヤーン）は、 ポリウレタン弾性糸の周りに短繊維を巻き付けた加工糸である。巻き付ける短繊維としては、特に限定されないが、綿、ウール等を例示することができる。
ＰＬＹ（ply yarn：プライヤーン）は、ポリウレタン弾性糸とカバーリングする長繊維とを引き揃えた状態で撚りをかけた加工糸である。
非導電性布の織り方としては、特に限定されないが、平織り、綾織り、斜子織り、レップ織り、畝織り、絡み織り、模紗織り、朱子織り、二重織り等を例示することができる。
【考案の効果】
【００１５】
本考案の伸縮性平型通電体によれば、片面又は両面を電気的に絶縁することができ、伸縮性が求められる通電用途に使用することができ、２枚を重ねた状態でロールに巻いても内側の通電体がだぶつくことがなく、伸縮による電気抵抗値の変化を抑えることもできるという優れた効果を奏する。
【図面の簡単な説明】
【００１６】
【図１】実施例１の伸縮性平型通電体を示し、（ａ）は一部破断して示す斜視図、（ｂ）は断面図、（ｃ）は導電糸の拡大図、（ｄ）は２枚重ねてロールに巻いた状態の概略図である。
【図２】実施例２の伸縮性平型通電体を示し、（ａ）は一部破断して示す斜視図、（ｂ）は断面図である。
【図３】（ａ）は実施例１の変更例を示す断面図、（ｂ）は実施例２の変更例を示す断面図である。
【考案を実施するための形態】
【００１７】
伸縮性平型通電体は、金属メッキがされたウーリー加工糸をポリウレタン弾性糸にカバーリング撚糸加工してなる導電糸を使用して織られた伸縮性の導電性布と、非導電性のＦＴＹ、ＣＳＹ又はＰＬＹからなる伸縮糸を使用して織られた伸縮性の非導電性布とを、それぞれ層として含む複数層構造をなし、複数層が糸により接結している。
【実施例１】
【００１８】
図１に示す実施例１の伸縮性平型通電体１は、第１の非導電性布２と導電性布３と第２の非導電性布４とがこの順に重なった３層構造をなすものである。第１の非導電性布２と第２の非導電性布４とで、導電性布３の両面を電気的に絶縁している。
【００１９】
導電性布３は、伸縮性の導電糸５のみを使用して平織り又は綾織りされた伸縮性の布である。導電糸５は、金属の無電解メッキがされた例えば７５ｄ（デニール）のポリエステルのウーリー加工糸６を例えば４０ｄのポリウレタン弾性糸７にカバーリング撚糸加工してなるものである。織り密度はインチ間に例えば約３０本である。
【００２０】
第１の非導電性布２は、非導電性のＦＴＹ８のみを使用して平織り又は綾織りされた伸縮性の布である。ＦＴＹ８は、例えば１５０ｄのポリエステル糸を、例えば２０ｄのポリウレタン弾性糸にカバーリング撚糸加工してなるものである。織り密度はインチ間に例えば約６０本である。
【００２１】
第２の非導電性布４は、第１の非導電性布２と同様のものである。
【００２２】
第１の非導電性布２の一部の経糸又は緯糸のＦＴＹ８が、第２の非導電性布４の一部の経糸又は緯糸のＦＴＹ８に引っ掛かることにより３層が接結している。
【００２３】
この伸縮性平型通電体１は、上記織物を３０℃以上の湯に１０〜６００秒浸すか、又は、３０〜２５０℃の熱風に１０〜６００秒晒すことにより、さらに伸縮性が高められている。
【００２４】
実施例１の伸縮性平型通電体１によれば、次の効果が得られる。
（ａ）平型をなし、デザイン性が高く、リード線という認識がされず、人の肌に馴染みが良く、通電時に発生する抵抗熱の放熱性が高く、周囲との絶縁機能もあり、しなやかで自由に変形でき、裁断加工や縫製加工をして使用することもできる。
【００２５】
（ｂ）上記の織り密度は糸が隙間なく並ぶことができる程度であり、平織り又は綾織りにすることで、触っても導電性布３の導電糸５が露出せず、強度も持たせられる。
【００２６】
（ｃ）使用する糸を全てポリウレタン弾性糸による伸縮性のものとしたことで、伸縮性平型通電体１の全体が伸縮性になっているので、伸縮性が求められる通電用途に使用することができる。また、図１（ｄ）に示すように、伸縮性平型通電体１を、内側と外側の２枚を重ねた状態でロール１０に巻いていくと、内外の周長の差ができるが、伸縮性によってその差を吸収できるので、内側がだぶつくことを防止することができる。
【００２７】
（ｄ）伸縮性平型通電体１が縮んでいる状態では、内部で導電糸５が屈曲している状態になっている。伸縮性平型通電体１に力を加え伸縮性平型通電体１が伸びた状態では、内部で導電糸５が伸長している状態になっている。いずれの状態でも、導電部分の距離が変わるわけではないので、導電性布３の電気抵抗値に変化はない。
【実施例２】
【００２８】
図２に示す実施例２の伸縮性平型通電体２１は、非導電性布２２と導電性布２３とが重なった２層構造をなすものである。非導電性布２２で、導電性布２３の片面を電気的に絶縁している。
【００２９】
導電性布２３は、実施例１で説明した導電糸５とＦＴＹ８とを使用して、平織り又は綾織りされた伸縮性の布である。使用本数は、導電糸５の方がＦＴＹ８より多い。織り密度はインチ間に例えば約３０本である。
【００３０】
非導電性布２２は、実施例１で説明した非導電性布２と同様のものである。
【００３１】
導電性布２３の一部の経糸又は緯糸のＦＴＹ８が、非導電性布２２の一部の経糸又は緯糸のＦＴＹ８に引っ掛かることにより２層が接結している。
【００３２】
この伸縮性平型通電体２１も、上記織物を３０℃以上の湯に１０〜６００秒浸すか、又は、３０〜２５０℃の熱風に１０〜６００秒晒すことにより、さらに伸縮性が高められている。
【００３３】
実施例２の伸縮性平型通電体２１によれば、実施例１と基本的には同様（但し片面絶縁）の効果（ａ）〜（ｄ）が得られ、次の効果も得られる。
（ｅ）伸縮性平型通電体２１の片側に導電性布２３が露出している状態になっているので、導電性布２３と外部の装置との電気的接続が容易になっている。縫製、融着等の方法で導電性布２３を内側に折り曲げるか筒状にすることで、外部から絶縁することもできる。
【００３４】
なお、本考案は前記実施例に限定されるものではなく、例えば次のように、考案の趣旨から逸脱しない範囲で適宜変更して具体化することができる。
（１）図３の（ａ）に実施例１の変更例を、（ｂ）に実施例２の変更例をそれぞれ示すように、複数層が各層を構成する糸以外の接結専用の接結糸１５により引っ掛けられて接結していてもよい。実施例２の変更例では、導電性布２３は導電糸５のみを使用したものでもよい。
【符号の説明】
【００３５】
１    伸縮性平型通電体
２    第１の非導電性布
３    導電性布
４    第２の非導電性布
５    導電糸
６    ウーリー加工糸
７    ポリウレタン弾性糸
８    ＦＴＹ
１０    ロール
２１    伸縮性平型通電体
２２    非導電性布
２３    導電性布
【図１】
0003195050.tif 000003
【図２】
0003195050.tif 000004
【図３】
0003195050.tif 000005